(57)【要約】【課題】コンテンツ画像と地域との関連性を維持しつつ、地図情報上に表示されたコンテンツ画像の視認性を向上させることが可能な地図情報表示装置、方法及びプログラムを提供する。【解決手段】地図情報を取得する地図情報取得手段と、前記地図情報が表す地図領域に応じたコンテンツ画像を取得するコンテンツ画像取得手段と、前記地図情報上の所定の位置に前記コンテンツ画像を配置する配置手段と、前記コンテンツ画像各々の配置位置に基づいて、各コンテンツ画像間の重畳関係を判定する判定手段と、前記判定手段により重畳関係にあると判定されたコンテンツ画像群から、代表コンテンツ画像を一つ選択する選択手段と、前記地図情報を前記コンテンツ画像とともに表示し、前記重畳関係にあると判定されたコンテンツ画像群について、前記代表コンテンツ画像のみを表示するよう制御する表示手段と、を備える。【選択図】        図７
2010156800.tif 000002
【特許請求の範囲】
【請求項１】
地図情報を取得する地図情報取得手段と、
前記地図情報が表す地図領域に応じたコンテンツ画像を取得するコンテンツ画像取得手段と、
前記地図情報上の所定の位置に前記コンテンツ画像を配置する配置手段と、
前記コンテンツ画像各々の配置位置に基づいて、各コンテンツ画像間の重畳関係を判定する判定手段と、
前記判定手段により重畳関係にあると判定されたコンテンツ画像群から、代表コンテンツ画像を一つ選択する選択手段と、
前記地図情報を前記コンテンツ画像とともに表示し、前記重畳関係にあると判定されたコンテンツ画像群について、前記代表コンテンツ画像のみを表示するよう制御する表示手段と、
を備えたことを特徴とする地図情報表示装置。
【請求項２】
前記判定手段は、前記コンテンツ画像の夫々が表す画像の表示領域が他のコンテンツ画像が表す画像の表示領域と重畳するか否かに応じて、前記重畳関係の有無を判定することを特徴とする請求項１に記載の地図情報表示装置。
【請求項３】
前記判定手段は、前記コンテンツ画像を囲む小領域を前記地図情報上に夫々設定し、この小領域が重畳するか否かに応じて、前記重畳関係の有無を判定することを特徴とする請求項１に記載の地図情報表示装置。
【請求項４】
前記判定手段は、前記地図情報が表す地図領域を所定の領域単位で区分けした各小領域において、前記コンテンツ画像が複数個配置されている場合、このコンテンツ画像群を重畳関係にあると判定することを特徴とする請求項１に記載の地図情報表示装置。
【請求項５】
前記選択手段は、前記コンテンツ画像群から一の代表コンテンツ画像をランダムに選択することを特徴とする請求項１に記載の地図情報表示装置。
【請求項６】
前記コンテンツ画像に対するアクセス頻度を記憶した記憶手段を更に備え、
前記選択手段は、前記コンテンツ画像群に含まれた各コンテンツ画像の前記アクセス頻度に基づいて、前記コンテンツ画像群から一の代表コンテンツ画像を選択することを特徴とする請求項１に記載の地図情報表示装置。
【請求項７】
前記選択手段は、前記コンテンツ画像群に含まれた各コンテンツ画像の表示面積に基づいて、当該コンテンツ画像群から一の代表コンテンツ画像を選択することを特徴とする請求項１に記載の地図情報表示装置。
【請求項８】
前記選択手段は、前記コンテンツ画像群に含まれた各コンテンツ画像のファイル名に基づいて、当該コンテンツ画像群から一の代表コンテンツ画像を選択することを特徴とする請求項１に記載の地図情報表示装置。
【請求項９】
前記コンテンツ画像が表す事象についての人気度を取得する人気度取得手段を更に備え、
前記選択手段は、前記コンテンツ画像群に含まれた各コンテンツ画像に係る前記人気度に基づいて、前記コンテンツ画像群から一の代表コンテンツ画像を選択することを特徴とする請求項１に記載の地図情報表示装置。
【請求項１０】
前記表示手段は、前記代表コンテンツ画像と関連付け、当該代表コンテンツ画像と重畳関係にある他のコンテンツ画像が存在することを示したフラグ情報を表示することを特徴とする請求項１に記載の地図情報表示装置。
【請求項１１】
前記表示手段は、前記フラグ情報として、前記代表コンテンツ画像と重畳関係にある他のコンテンツ画像の個数を表した重畳枚数画像を前記代表コンテンツ画像の近傍に表示することを特徴とする請求項１０に記載の地図情報表示装置。
【請求項１２】
前記表示手段により表示された何れかの前記代表コンテンツ画像に対し、詳細表示の指示を受け付ける受付手段を更に備え、
前記表示手段は、前記詳細表示の対象となった代表コンテンツ画像及び当該代表コンテンツ画像と重畳関係にある他のコンテンツ画像を、一覧又は個別的に表示することを特徴とする請求項１〜１１の何れか一項に記載の地図情報表示装置。
【請求項１３】
地図情報取得手段が、地図情報を取得する地図情報取得工程と、
コンテンツ画像取得手段が、前記地図情報が表す地図領域に応じたコンテンツ画像を取得するコンテンツ画像取得工程と、
配置手段が、前記地図情報上の所定の位置に前記コンテンツ画像を配置する配置工程と、
判断手段が、前記コンテンツ画像各々の配置位置に基づいて、各コンテンツ画像間の重畳関係を判定する判定工程と、
選択手段が、前記判定手段により重畳関係にあると判定されたコンテンツ画像群から、代表コンテンツ画像を一つ選択する選択工程と、
表示手段が、前記地図情報を前記コンテンツ画像とともに表示し、前記重畳関係にあると判定されたコンテンツ画像群について、前記代表コンテンツ画像のみを表示するよう制御する表示工程と、
を含むことを特徴とする地図情報表示方法。
【請求項１４】
コンピュータを、
地図情報を取得する地図情報取得手段と、
前記地図情報が表す地図領域に応じたコンテンツ画像を取得するコンテンツ画像取得手段と、
前記地図情報上の所定の位置に前記コンテンツ画像を配置する配置手段と、
前記コンテンツ画像各々の配置位置に基づいて、各コンテンツ画像間の重畳関係を判定する判定手段と、
前記判定手段により重畳関係にあると判定されたコンテンツ画像群から、代表コンテンツ画像を一つ選択する選択手段と、
前記地図情報を前記コンテンツ画像とともに表示し、前記重畳関係にあると判定されたコンテンツ画像群について、前記代表コンテンツ画像のみを表示するよう制御する表示手段と、
して機能させるためのプログラム。
【発明の詳細な説明】
【技術分野】
【０００１】
本発明は、地図情報表示装置、方法及びプログラムに関する。
【背景技術】
【０００２】
従来、インターネット等のネットワークを介して、地図情報を提供するサービス（以下、地図情報提供サービスという）が行われている。この地図情報提供サービスでは、ユーザから特定の住所や地域が指定されると、該当する地域の地図や航空写真等の地図情報をユーザが操作する端末に送信することで、当該端末に地図情報の表示が行われるよう構成されている。
【０００３】
また、地図情報のＡＰＩ（Application  Program  Interface）を用いて、様々なコンテンツ画像の表示を地図情報と連動させる所謂“マッシュアップ”と呼ばれる技術が存在しており、地図情報提供サービスの提供者以外の第三者により、地図情報を用いた新たなサービスの提供が行われている。このように、地図情報と連動して表示されるコンテンツ画像は、地域の特色を視認するため有用なものとなる。
【０００４】
従来、地図情報に対するコンテンツ画像の重畳表示については種々の技術が提案されている。例えば、地図情報の縮尺に応じて表示するコンテンツ画像を使い分ける技術が用いられている。また、例えば特許文献１には、地図情報上に目標物（例えば、店舗名や道路名等）を表示するに際し、当該目標物の名称を示す文字列が他の文字列と重ならないよう表示位置をずらす技術が開示されている。
【０００５】
【特許文献１】特開２０００−２５０４０４号公報
【発明の開示】
【発明が解決しようとする課題】
【０００６】
しかしながら、コンテンツ画像の表示形態によっては、かえって視認性を低下させてしまう可能性がある。例えば、縮尺サイズを小さくし、表示される地域を広範囲とした場合、都市部等の一部の場所にコンテンツ画像が集中し、コンテンツ画像が重畳するため視認性が低下する。なお、地図情報とコンテンツ画像とのマッシュアップでは、事前に合成対象となるコンテンツ画像の個数や偏り等が不明となるため、上記従来技術のように、予め地図の縮尺と表示するコンテンツ画像とを定義しておくことは困難である。また、上記特許文献１の技術を用いることで、各コンテンツ画像が重ならないよう表示位置をずらすことが可能であるが、本来表示すべき位置から外れる可能性があるため、コンテンツ画像と地域との関連性が損なわれてしまうという問題がある。
【０００７】
本発明は上記に鑑みてなされたものであって、コンテンツ画像と地域との関連性を維持しつつ、地図情報上に表示されたコンテンツ画像の視認性を向上させることが可能な地図情報表示装置、方法及びプログラムを提供することを目的とする。
【課題を解決するための手段】
【０００８】
上述した課題を解決し、目的を達成するために、本発明は、地図情報を取得する地図情報取得手段と、前記地図情報が表す地図領域に応じたコンテンツ画像を取得するコンテンツ画像取得手段と、前記地図情報上の所定の位置に前記コンテンツ画像を配置する配置手段と、前記コンテンツ画像各々の配置位置に基づいて、各コンテンツ画像間の重畳関係を判定する判定手段と、前記判定手段により重畳関係にあると判定されたコンテンツ画像群から、代表コンテンツ画像を一つ選択する選択手段と、前記地図情報を前記コンテンツ画像とともに表示し、前記重畳関係にあると判定されたコンテンツ画像群について、前記代表コンテンツ画像のみを表示するよう制御する表示手段と、を備える。
【０００９】
また、本発明は、地図情報取得手段が、地図情報を取得する地図情報取得工程と、コンテンツ画像取得手段が、前記地図情報が表す地図領域に応じたコンテンツ画像を取得するコンテンツ画像取得工程と、配置手段が、前記地図情報上の所定の位置に前記コンテンツ画像を配置する配置工程と、判断手段が、前記コンテンツ画像各々の配置位置に基づいて、各コンテンツ画像間の重畳関係を判定する判定工程と、選択手段が、前記判定手段により重畳関係にあると判定されたコンテンツ画像群から、代表コンテンツ画像を一つ選択する選択工程と、表示手段が、前記地図情報を前記コンテンツ画像とともに表示し、前記重畳関係にあると判定されたコンテンツ画像群について、前記代表コンテンツ画像のみを表示するよう制御する表示工程と、を含む。
【００１０】
また、本発明は、コンピュータを、地図情報を取得する地図情報取得手段と、前記地図情報が表す地図領域に応じたコンテンツ画像を取得するコンテンツ画像取得手段と、前記地図情報上の所定の位置に前記コンテンツ画像を配置する配置手段と、前記コンテンツ画像各々の配置位置に基づいて、各コンテンツ画像間の重畳関係を判定する判定手段と、前記判定手段により重畳関係にあると判定されたコンテンツ画像群から、代表コンテンツ画像を一つ選択する選択手段と、前記地図情報を前記コンテンツ画像とともに表示し、前記重畳関係にあると判定されたコンテンツ画像群について、前記代表コンテンツ画像のみを表示するよう制御する表示手段と、して機能させる。
【発明の効果】
【００１１】
本発明によれば、コンテンツ画像と地域との関連性を維持しつつ、地図情報上に表示されたコンテンツ画像の視認性を向上させることができる。
【発明を実施するための最良の形態】
【００１２】
以下、添付図面を参照して、本発明に係る地図情報表示装置、方法及びプログラムの最良な実施形態を詳細に説明する。なお、以下に説明する実施形態によりこの発明が限定されるものではない。
【００１３】
図１は、地図情報提供システムの全体構成を概略的に示したシステム構成図である。同図に示したように、地図情報提供システムは、端末装置１と、地図情報提供サーバ３と、コンテンツ画像提供サーバ５とを備え、これら各装置は、インターネット等のネットワークＮを介して通信可能に接続されている。
【００１４】
まず、端末装置１について説明する。端末装置１は、地図情報提供システムのユーザが操作するユーザ端末であって、ユーザから指定される地域に応じた地図情報とコンテンツ画像とを取得し、これらを連動させて表示する所謂マッシュアップを行う地図情報表示装置である。ここで、「地図情報」とは、特定の地域を表す地図や航空写真等の地図画像に、当該地図画像が表す地図領域の緯度及び経度を表すエリア情報を関連付けたデータである。また、「コンテンツ画像」とは、商品や施設等を表す画像データや文字データ等である。
【００１５】
図２は、端末装置１の構成の一例を示したブロック図である。同図に示したように、端末装置１は、制御部１１と、ハードディスク制御部１２と、ハードディスク１３と、光学ドライブ制御部１４と、光学ドライブ１５と、入力制御部１６と、入力部１７と、表示制御部１８と、表示部１９と、通信制御部２０と、通信部２１とを備えている。
【００１６】
制御部１１は、ＣＰＵ（Central  Processing  Unit）１１１、ＲＡＭ（Random  Access  Memory）１１２及びＲＯＭ（Read  Only  Memory）１１３を備えており、ハードディスク１３に格納されている各種のプログラムとの協働により、端末装置１の動作を統括的に制御する。
【００１７】
ハードディスク制御部１２には、ハードディスク１３が接続されており、制御部１１の指示に従い、ハードディスク１３に格納された制御プログラムや種々のデータの読み出しや種々のデータの書き込みを行う。
【００１８】
光学ドライブ制御部１４には、ＣＤ−ＲＯＭドライブ等の光学ドライブ１５が接続されており、制御部１１の指示に従い、光学ドライブ１５に装填された記録媒体から種々のデータの読み出しを行う。
【００１９】
入力制御部１６には、キーボードやポインティングデバイス等の入力デバイスにより構成される入力部１７が接続されており、入力部１７を介して入力された情報を制御部１１に出力する。
【００２０】
表示制御部１８には、ＬＣＤ（Liquid Crystal Display）等の表示デバイスにより構成される表示部１９が接続されており、制御部１１の指示に従い、地図情報やコンテンツ画像等の各種の情報を表示部１９に表示させる。
【００２１】
通信制御部２０には、ネットワークＮに接続可能なインタフェースにより構成される通信部２１が接続されており、制御部１１の指示に従い、通信部２１を通じて外部装置（地図情報提供サーバ３、コンテンツ画像提供サーバ５）との間で情報の授受を行う。
【００２２】
端末装置１では、ユーザから入力部１７を介して特定の地域を指定する地域指定情報と、地図情報提供サーバ３のＵＲＬとが入力されると、制御部１１が、このＵＲＬ宛に地域指定情報を送信することで、地域指定情報が指定する地域に応じた地図情報を地図情報提供サーバ３から取得する。また、制御部１１は、地図情報提供サーバ３から取得した地図情報に含まれるエリア情報をコンテンツ画像提供サーバ５に送信することで、このエリア情報が示す範囲に応じたコンテンツ画像をコンテンツ画像提供サーバ５から取得する。
【００２３】
なお、「地域指定情報」とは、特定の地域を指定することが可能な情報であれば特に問わないものとするが、例えば、住所、郵便番号、駅等の施設名等の他、地図情報上の特定の位置を指示する情報としてもよい。また、提供される地図情報の縮尺を指定する情報を地域指定情報に含めてもよい。
【００２４】
以下、図３を参照して、地図情報及びコンテンツ画像の取得に係る制御部１１のソフトウェア構成の一例について説明する。ここで、図３は、制御部１１が実現する各機能部と、地図情報提供サーバ３及びコンテンツ画像提供サーバ５との関係を模式的に示した図である。
【００２５】
制御部１１は、ハードディスク１３に格納された所定のプログラムとの協働により、Ｗｅｂブラウザ機能を実現するためのＨＴＭＬエンジン１０１を備える。ＨＴＭＬエンジン１０１は、ＵＩ（User  Interface）を用いて、地図情報提供サーバ３等のＵＲＬや、地域指定情報等の入力を受け付け、後述する処理エンジン１０２との協働により外部装置（地図情報提供サーバ３、コンテンツ画像提供サーバ５）にアクセスを行う。また、ＨＴＭＬエンジン１０１は、後述する処理エンジン１０２との協働により、地図情報上に配置されたコンテンツ画像等のデータを画面表示するための処理を行い、表示制御部１８を通じて表示部１９に表示する。
【００２６】
また、制御部１１は、ハードディスク１３に格納されたプログラムとの協働により、マッシュアップ機能を実現するための処理エンジン１０２を備える。処理エンジン１０２は、ＨＴＭＬエンジン１０１を拡張するための機能部であって、Ａｊａｘ（登録商標）等の技術を用いて実現されている。
【００２７】
処理エンジン１０２は、ＨＴＭＬエンジン１０１が実装するＪａｖａＳｃｒｉｐｔ（登録商標）等のＨＴＴＰ通信機能と連携し、ＸＭＬ（extensible  Markup  Language）等を用いて地図情報提供サーバ３やコンテンツ画像提供サーバ５とデータの授受を行うことで、各装置が提供するサービスを動的なＷｅｂアプリケーションとして用いることを可能にする。
【００２８】
具体的に、処理エンジン１０２は、地図情報提供サーバ３から取得した地図情報に含まれるエリア情報をコンテンツ画像提供サーバ５に送信することで、このエリア情報に応じたコンテンツ画像と、当該コンテンツ画像の配置位置（緯度及び経度）を指示した配置位置情報とをコンテンツ画像提供サーバ５から取得する。そして、処理エンジン１０２は、地図情報に含まれたエリア情報が示す緯度及び経度に基づいて、配置位置情報で指示された地図情報上の該当する位置にコンテンツ画像を配置する。なお、コンテンツ画像提供サーバ５のＵＲＬは、ハードディスク１３に予め格納されている形態としてもよいし、入力部１７を介して入力される形態としてもよい。
【００２９】
また、処理エンジン１０２は、地図情報上へのコンテンツ画像の配置時に、これらコンテンツ画像の各々について重畳関係にあるか否かを判定する。ここで、「重畳関係」とは、複数のコンテンツ画像を配置（表示）した際に、重畳又は密集した状態となるコンテンツ画像間の関係を意味する。各コンテンツ画像が重畳関係にあるか否かは、例えば、以下に示す３つの判定方法（重畳判定方法）を用いて判定することができる。
【００３０】
まず、第１の重畳判定方法として、各コンテンツ画像が表す画像の表示領域が重畳するか否かに応じて、重畳関係の有無を判定する方法が挙げられる。
【００３１】
ここで、図４−１、図４−２は、第１の重畳判定方法を説明するための図である。例えば、図４−１に示したように、コンテンツ画像Ｃ１１と、コンテンツ画像Ｃ１２との表示領域が重なり合う場合、これらコンテンツ画像Ｃ１１とコンテンツ画像Ｃ１２とが重畳関係にあると判定する。なお、図４−２に示したように、コンテンツ画像Ｃ２１とＣ２４とが、コンテンツ画像Ｃ２２及びＣ２３により接続された状態となる場合、これらコンテンツ画像Ｃ２１〜Ｃ２４の一群を重畳関係にあると判定してもよいし、コンテンツ画像Ｃ２１とＣ２２、コンテンツ画像Ｃ２３とＣ２４のように、区分けした群単位の夫々で重畳関係にあると判定してもよい。
【００３２】
また、第２の重畳判定方法として、地図情報上に配置した各コンテンツ画像について、当該コンテンツを囲む小領域を夫々設定し、この小領域が重畳するか否かに応じて、重畳関係の有無を判定する方法が挙げられる。
【００３３】
ここで、図５は、第２の重畳判定方法を説明するための図である。例えば、図５に示したように、コンテンツ画像Ｃ３１とコンテンツ画像Ｃ３２との夫々について、各画像の中心から所定の半径ｒの小領域Ｄ３１、Ｄ３２を設定し、この小領域Ｄ３１、Ｄ３２が重畳した場合に、コンテンツ画像Ｃ３１とコンテンツ画像Ｃ３２とが重畳関係にあると判定する。
【００３４】
なお、半径ｒの値は、コンテンツ画像を囲むことが可能な値であれば任意の値を設定することができるものとするが、コンテンツ画像の画像サイズに応じて値を調整することが好ましい。また、図５では、コンテンツ画像を囲む小領域を円状としたがこれに限らず、例えば、矩形状等任意の形状の小領域を設定することが可能である。
【００３５】
また、第３の重畳判定方法として、ベースとなる地図画像を所定の領域単位で区分けし、この区分けした各小領域において複数のコンテンツ画像が存在するような場合に、このコンテンツ画像群を重畳関係にあると判定する方法が挙げられる。
【００３６】
ここで、図６は、第３の重畳判定方法を説明するための図である。例えば、図６に示したように、地図情報が表す地図領域をメッシュ状に区分けした各小領域（Ａ１１〜Ａ１９）にコンテンツ画像（Ｃ４１〜Ｃ４７）が配置されているような場合、領域Ａ１５に配置されたコンテンツ画像Ｃ４４、Ｃ４５を重畳関係にあると判定する。なお、区分けする小領域の形状は、図６に示した矩形に限らず、例えば、円状であってもよいし、県や市、町、村等の形状としてもよい。
【００３７】
処理エンジン１０２は、上述した重畳判定方法により重畳関係にあると判定した一連のコンテンツ画像群（以下、重畳コンテンツ画像群という）毎に、一のコンテンツ画像を代表コンテンツ画像として選択する。そして、処理エンジン１０２は、重畳コンテンツ画像群に含まれた代表コンテンツ画像以外の、他のコンテンツ画像（以下、サブコンテンツ画像）の地図情報上への配置を禁止し、当該サブコンテンツ画像の存在を表したフラグ情報としてサブコンテンツ画像の個数を示した画像（以下、重畳枚数画像という）を代表コンテンツ画像の配置位置近傍に配置する。
【００３８】
なお、代表コンテンツ画像の選択方法は特に問わないものとするが、例えば、以下に示す５つの選択方法（代表選択方法）を用いて判定することができる。
【００３９】
まず、第１の代表選択方法として、重畳コンテンツ画像群から一の代表コンテンツ画像をランダムに選択する方法が挙げられる。
【００４０】
また、第２の代表選択方法として、ユーザから入力部１７を介して選択されたコンテンツ画像の履歴をアクセス頻度としてハードディスク１３に記憶しておき、このアクセス頻度に基づいて、重畳コンテンツ画像群から一の代表コンテンツ画像を選択する方法が挙げられる。この場合、例えば、アクセス頻度が最も高い一のコンテンツ画像を代表コンテンツ画像としてもよいし、アクセス頻度が最も低い一のコンテンツ画像を代表コンテンツ画像としてもよい。
【００４１】
また、第３の代表選択方法として、コンテンツ画像が表す画像の大きさ、つまりコンテンツ画像の表示面積に基づいて、重畳コンテンツ画像群から一の代表コンテンツ画像を選択する方法が挙げられる。この場合、例えば、表示面積が最大のコンテンツ画像を代表コンテンツ画像としてもよいし、表示面積が最小のコンテンツ画像を代表コンテンツ画像としてもよい。
【００４２】
また、第４の代表選択方法として、コンテンツ画像のファイル名に基づいて、重畳コンテンツ画像群から一の代表コンテンツ画像を選択する方法が挙げられる。この場合、例えば、ファイル名のアルファベット順や５０音順に基づき、最初又は最後に出現するファイル名のコンテンツ画像を代表コンテンツ画像としてもよい。
【００４３】
また、第５の代表選択方法として、コンテンツ画像に関する事象（例えば、特定の商品や施設等）についての人気度に基づいて、重畳コンテンツ画像群から一の代表コンテンツ画像を選択する方法が挙げられる。この場合、例えば、人気度の最も高い事象に対応するコンテンツ画像を代表コンテンツ画像としてもよいし、人気度の最も低い事象に対応するコンテンツ画像を代表コンテンツ画像としてもよい。なお、人気度の取得は、ネットワークＮに接続された図示しないランキングサイト等から行う形態としてもよい。また、コンテンツ画像提供サーバ５において、各コンテンツ画像と関連付けて、当該コンテンツ画像に関する事象の人気度が管理されている場合には、コンテンツ画像及び配置位置情報の取得時に人気度をあわせて取得する形態としてもよい。
【００４４】
本実施形態では、ユーザは入力部１７を介して、上述した５つの代表選択方法のうち、何れか一つの代表戦悪方法を選択的に指定することが可能であるとする。なお、上述した５つの代表選択方法の具体的な処理内容については後述する。
【００４５】
処理エンジン１０２により地図情報上に配置されたコンテンツ画像（代表コンテンツ画像及び重畳枚数画像を含む）は、地図情報とともにＨＴＭＬエンジン１０１により描画され、表示部１９に表示される。
【００４６】
図７は、表示部１９に表示された地図情報及びコンテンツ画像の一例を示した図である。同図に示したように、地図画像Ｍ上に配置されたコンテンツ画像Ｃ５１が視認可能な状態で表示されている。また、コンテンツ画像Ｃ５１が代表コンテンツ画像であることを示すフラグ情報、即ち当該コンテンツ画像Ｃ５１と重畳関係にあるコンテンツ画像が存在することを示した重畳枚数画像Ｃ５１’が表示されている。ここで、重畳枚数画像Ｃ５１’は、コンテンツ画像Ｃ５１と重畳関係にあるサブコンテンツ画像が１枚存在することを意味している。
【００４７】
このように、重畳関係にあるコンテンツ画像の存在を示したフラグ情報（重畳枚数画像）を、代表コンテンツ画像の近傍に配置し表示させることで、ユーザに関連画像の存在を認識させることができる。
【００４８】
なお、入力部１７を介して地図情報の縮尺の拡大が指示されると、コンテンツ画像間の間隔は疎となるため、重畳関係が解消する可能性がある。このような場合、処理エンジン１０２は、この縮尺サイズの地域に含まれるコンテンツ画像を地図情報上に配置しなおすことで、表示内容を動的に更新する。
【００４９】
図８は、図７に示した地図画像の縮尺を拡大した状態の一例を示した図である。同図において、コンテンツ画像Ｃ５１は、図７のコンテンツ画像Ｃ５１に対応するものである。また、コンテンツ画像Ｃ５２は、図７においてコンテンツ画像Ｃ５１と重畳関係にあったサブコンテンツ画像であって、重畳関係の解消により所定の位置に配置（表示）されている。
【００５０】
また、処理エンジン１０２は、入力部１７を介し、表示部１９に表示された何れかの代表コンテンツ画像に対する詳細表示の指示として、重畳コンテンツ画像群の表示を指示する指示情報を受け付けると、この詳細表示の対象となった代表コンテンツ画像及び当該代表コンテンツ画像と重畳関係にあるサブコンテンツ画像を所定の表示形態で一覧又は個別的に表示させる制御を行う。
【００５１】
なお、詳細表示の表示形態は、特に問わないものとする。例えば、図９に示したように、コンテンツ画像Ｃ６１（代表コンテンツ画像）について、当該コンテンツ画像Ｃ６１に係る重畳コンテンツ画像群に含まれた各コンテンツ画像（Ｃ６１〜Ｃ６５）を、吹き出し状の枠Ｆ内に一覧表示する形態としてもよい。
【００５２】
また、他の表示形態として、代表コンテンツ画像となるコンテンツ画像を所定の時間間隔で切り替えてスライド表示することで、重畳コンテンツ画像群に含まれる各コンテンツ画像を個別的に表示する形態としてもよい。また、ユーザから入力部１７を介して入力されるスクロール操作量に応じて、代表コンテンツ画像となるコンテンツ画像を切り替えて表示することで、重畳コンテンツ画像群に含まれる各コンテンツ画像を個別的に表示する形態としてもよい。なお、スライド表示される際の順序、つまり代表コンテンツ画像の選択順序は、上述した第１〜第５の代表選択方法に基づいて順次選択が行われるものとする。
【００５３】
次に、地図情報提供サーバ３について説明する。地図情報提供サーバ３は、端末装置１から送信された地域指定情報を受け付け、この地域指定情報が指定する地域に応じた地図情報を端末装置１に提供するサーバ装置である。
【００５４】
図１０は、地図情報提供サーバ３の構成の一例を示したブロック図である。同図に示したように、地図情報提供サーバ３は、制御部３１と、ハードディスク制御部３２と、ハードディスク３３と、光学ドライブ制御部３４と、光学ドライブ３５と、入力制御部３６と、入力部３７と、表示制御部３８と、表示部３９と、通信制御部４０と、通信部４１とを備えている。
【００５５】
制御部３１は、ＣＰＵ３１１、ＲＡＭ３１２及びＲＯＭ３１３を備えており、ハードディスク３３に格納されている各種のプログラムとの協働により、地図情報提供サーバ３の動作を統括的に制御する。
【００５６】
ハードディスク制御部３２には、ハードディスク３３が接続されており、制御部３１の指示に従い、ハードディスク３３に格納された制御プログラムや種々のデータの読み出しや種々のデータの書き込みを行う。
【００５７】
また、ハードディスク３３は、地図情報を管理するための地図情報ＤＢ（データベース）３３１を予め格納している。この地図情報ＤＢ３３１には、各地域の地図画像とそのエリア情報とを関連付けた地図情報が縮尺毎に登録されている。制御部３１は、地域指定情報により指定された地域に応じた地図情報を地図情報ＤＢ３３１から読み出し、地域指定情報を送信した端末装置１宛に送信することで、地図情報の提供を行う。ここで、地域指定情報に縮尺が含まれていた場合には、この縮尺に対応する地図情報が地図情報ＤＢ３３１から読み出されるものとする。なお、地域指定情報に縮尺が指定されていない場合には、所定の縮尺に対応する地図情報が地図情報ＤＢ３３１から読み出されるものとする。
【００５８】
光学ドライブ制御部３４には、ＣＤ−ＲＯＭドライブ等の光学ドライブ３５が接続されており、制御部３１の指示に従い、光学ドライブ３５に装填された記録媒体から種々のデータの読み出しを行う。
【００５９】
入力制御部３６には、キーボードやポインティングデバイス等の入力デバイスにより構成される入力部３７が接続されており、入力部３７を介して入力された情報を制御部３１に出力する。
【００６０】
表示制御部３８には、ＬＣＤ等の表示デバイスにより構成される表示部３９が接続されており、制御部３１の指示に従い、各種の情報を表示部３９に表示させる。
【００６１】
通信制御部４０には、ネットワークＮに接続可能なインタフェースにより構成される通信部４１が接続されており、制御部３１の指示に従い、通信部４１を通じて外部装置（端末装置１）との間で情報の授受を行う。
【００６２】
次に、コンテンツ画像提供サーバ５について説明する。コンテンツ画像提供サーバ５は、端末装置１から送信されるエリア情報を受け付け、このエリア情報に含まれる範囲に応じたコンテンツ画像を端末装置１に提供するサーバ装置である。
【００６３】
図１１は、コンテンツ画像提供サーバ５の構成の一例を示したブロック図である。同図に示したように、コンテンツ画像提供サーバ５は、制御部５１と、ハードディスク制御部５２と、ハードディスク５３と、光学ドライブ制御部５４と、光学ドライブ５５と、入力制御部５６と、入力部５７と、表示制御部５８と、表示部５９と、通信制御部６０と、通信部６１とを備えている。
【００６４】
制御部５１は、ＣＰＵ５１１、ＲＡＭ５１２及びＲＯＭ５１３を備えており、ハードディスク５３に格納されている各種のプログラムとの協働により、コンテンツ画像提供サーバ５の動作を統括的に制御する。
【００６５】
ハードディスク制御部５２には、ハードディスク５３が接続されており、制御部５１の指示に従い、ハードディスク５３に格納された制御プログラムや種々のデータの読み出しや種々のデータの書き込みを行う。
【００６６】
また、ハードディスク５３は、コンテンツ画像を管理するためのコンテンツ画像ＤＢ（データベース）５３１を予め格納している。このコンテンツ画像ＤＢ５３１には、各地域に固有の商品や施設等を表した画像データや文字データであるコンテンツ画像と、当該コンテンツ画像の配置位置となる緯度及び経度を示した配置位置情報とが関連付けて登録されている。ここで、配置位置は、コンテンツ画像が表す事象の原産地や所在地等とすることが好ましい。なお、コンテンツ画像に他の情報を関連付けて格納することとしてもよく、例えば、上述したように各コンテンツ画像が表す事象の人気度を関連付けて格納する形態としてもよい。
【００６７】
制御部５１は、端末装置１からエリア情報を受け付けると、コンテンツ画像ＤＢ５３１を参照し、エリア情報が示す経度及び緯度の範囲と、各コンテンツ画像に関連付けて管理された配置位置情報とを比較することで、このエリア情報に含まれるコンテンツ画像を特定する。そして、制御部５１は、特定したコンテンツ画像と、このコンテンツ画像に関連付けられた関連情報（配置位置情報等）をコンテンツ画像ＤＢ５３１から読み出し、エリア情報を送信した端末装置１宛に送信することで、コンテンツ画像の提供を行う。
【００６８】
光学ドライブ制御部５４には、ＣＤ−ＲＯＭドライブ等の光学ドライブ５５が接続されており、制御部５１の指示に従い、光学ドライブ５５に装填された記録媒体から種々のデータの読み出しを行う。
【００６９】
入力制御部５６には、キーボードやポインティングデバイス等の入力デバイスにより構成される入力部５７が接続されており、入力部５７を介して入力された情報を制御部５１に出力する。
【００７０】
表示制御部５８には、ＬＣＤ等の表示デバイスにより構成される表示部５９が接続されており、制御部５１の指示に従い、各種の情報を表示部５９に表示させる。
【００７１】
通信制御部６０には、ネットワークＮに接続可能なインタフェースにより構成される通信部６１が接続されており、制御部５１の指示に従い、通信部６１を通じて外部装置（端末装置１）との間で情報の授受を行う。
【００７２】
以下、端末装置１において、地図情報とコンテンツ画像とが連動して表示される際の動作について説明する。ここで、図１２は、端末装置１で実行される地図情報表示処理の手順を示したフローチャートである。
【００７３】
まず、処理エンジン１０２は、ユーザから入力部１７を介して入力された地域指定情報を受け付けると（ステップＳ１１）、この地域指定情報を地図情報提供サーバ３に送信することで（ステップＳ１２）、当該地域指定情報に応じた地図情報を地図情報提供サーバ３から取得する（ステップＳ１３）。
【００７４】
続いて、処理エンジン１０２は、ステップＳ１２で取得した地図情報に含まれるエリア情報をコンテンツ画像提供サーバ５に送信することで（ステップＳ１４）、このエリア情報に応じたコンテンツ画像と、当該コンテンツ画像の関連情報（配置位置情報等）とをコンテンツ画像提供サーバ５から取得する（ステップＳ１５）。
【００７５】
次いで、処理エンジン１０２は、関連情報として取得した配置位置情報に従い、地図情報上の該当する位置に各コンテンツ画像を配置すると（ステップＳ１６）、上述した第１〜第３の重畳判定方法を用いて、各コンテンツ画像が重畳関係にあるか否かの判定を行い、その判定結果をＲＡＭ１１２等に保持する（ステップＳ１７）。
【００７６】
処理エンジン１０２は、ステップＳ１７の判定処理により、重畳関係にあると判定した重畳コンテンツ画像群が存在するか否かを判定し、存在しないと判定した場合には（ステップＳ１８；Ｎｏ）、ステップＳ２０の処理に直ちに移行する。
【００７７】
また、ステップＳ１８において、重畳コンテンツ画像群が存在すると判定した場合（ステップＳ１８；Ｙｅｓ）、処理エンジン１０２は、重畳コンテンツ画像群から一の代表コンテンツ画像を選択する代表コンテンツ画像選択処理を実行する（ステップＳ１９）。このステップＳ１９の代表コンテンツ画像選択処理は、上述した５つの代表選択方法のうち何れか一の方法を用いて実行されるものとする。以下、上述した５つの代表選択方法に係る代表コンテンツ画像選択処理について夫々説明する。
【００７８】
まず、図１３−１を参照して、第１の選択方法に係る代表コンテンツ画像選択処理について説明する。ここで、図１３−１は、第１の選択方法に係る代表コンテンツ画像選択処理の手順を示したフローチャートである。
【００７９】
まず、処理エンジン１０２は、重畳コンテンツ画像群の一つを処理の対象に設定すると（ステップＳ１０１）、この重畳コンテンツ画像群から一のコンテンツ画像をランダムに選択し、このコンテンツ画像を代表コンテンツ画像とする（ステップＳ１０２）。そして、処理エンジン１０２は、代表コンテンツ画像以外のサブコンテンツ画像（サブコンテンツ画像）を地図情報上から除去する（ステップＳ１０３）。
【００８０】
次いで、処理エンジン１０２は、処理の対象とした重畳コンテンツ画像群に含まれるコンテンツ画像の個数から１減算した値、即ちサブコンテンツ画像の個数を算出し（ステップＳ１０４）、この個数を表す重畳枚数画像を、ステップＳ１０２で選択した代表コンテンツ画像の配置位置近傍に配置する（ステップＳ１０５）。
【００８１】
続いて、処理エンジン１０２は、全ての重畳コンテンツ画像群に対して処理を施したか否かを判定し、未処理の重畳コンテンツ画像群が存在する場合には（ステップＳ１０６；Ｎｏ）、ステップＳ１０１に再び戻り、未処理の重畳コンテンツ画像群の一つを処理対象とする。また、全ての重畳コンテンツ画像群に対して処理を施したと判定した場合には（ステップＳ１０６；Ｙｅｓ）、図１２のステップＳ２０に移行する。
【００８２】
第１の代表選択方法を用いた場合、重畳コンテンツ画像群の中から一の代表コンテンツ画像をランダムに選択するため、その都度異なるコンテンツ画像が代表コンテンツ画像に選択されやすく、公平な選択を求めることができる。
【００８３】
次に、図１３−２を参照して、第２の選択方法に係る代表コンテンツ画像選択処理について説明する。ここで、図１３−２は、第２の選択方法に係る代表コンテンツ画像選択処理の手順を示したフローチャートである。なお、本処理の前提として、ユーザから入力部１７を介してこれまで選択されたコンテンツ画像の履歴を記録した履歴情報（各コンテンツ画像を識別する識別情報と、そのアクセス頻度（選択回数））が、ハードディスク１３に記憶されているものとする。
【００８４】
まず、処理エンジン１０２は、重畳コンテンツ画像群の一つを処理の対象に設定する（ステップＳ２０１）。次いで、処理エンジン１０２は、ハードディスク１３に記憶された履歴情報を参照し、処理対象の重畳コンテンツ画像群に含まれる各コンテンツ画像のアクセス頻度に基づいて、各コンテンツ画像をソートする（ステップＳ２０２）。
【００８５】
続いて、処理エンジン１０２は、ステップＳ２０２のソート結果に基づいて、アクセス頻度が最大／最小となるコンテンツ画像を一つ選択し、このコンテンツ画像を代表コンテンツ画像とする（ステップＳ２０３）。そして、処理エンジン１０２は、処理対象の重畳コンテンツ画像群に含まれた代表コンテンツ画像以外のサブコンテンツ画像を地図情報上から除去する（ステップＳ２０４）。
【００８６】
続くステップＳ２０５〜Ｓ２０７の処理は、上述したステップＳ１０４〜Ｓ１０６と同様であるため、説明を省略する。第２の代表選択方法を用いた場合、重畳コンテンツ画像群の中から一の代表コンテンツ画像をアクセス頻度に基づいて選択するため、頻繁にアクセスを行うコンテンツ画像を代表コンテンツ画像とすることができ、ユーザの利便性を向上させることができる。また、後述する関連画像表示処理において、アクセス頻度の順に関連画像を表示することができるため、ユーザの利便性を向上させることができる。
【００８７】
次に、図１３−３を参照して、第３の選択方法に係る代表コンテンツ画像選択処理について説明する。ここで、図１３−３は、第３の選択方法に係る代表コンテンツ画像選択処理の手順を示したフローチャートである。
【００８８】
まず、処理エンジン１０２は、重畳コンテンツ画像群の一つを処理の対象に設定する（ステップＳ３０１）。次いで、処理エンジン１０２は、処置対象の重畳コンテンツ画像群に含まれる各コンテンツ画像の画像サイズ（表示面積）を比較すると（ステップＳ３０２）、この比較結果に基づいて画像サイズが最大／最小となる一のコンテンツ画像を代表コンテンツ画像に選択する（ステップＳ３０３）。そして、処理エンジン１０２は、処理対象の重畳コンテンツ画像群に含まれた代表コンテンツ画像以外のサブコンテンツ画像を地図情報上から除去する（ステップＳ３０４）。
【００８９】
続くステップＳ３０５〜Ｓ３０７の処理は、上述したステップＳ１０４〜Ｓ１０６と同様であるため、説明を省略する。第３の代表選択方法を用いた場合、重畳コンテンツ画像群の中から一の代表コンテンツ画像をその画像サイズに基づいて選択するため、代表コンテンツ画像の視認性を向上させることができる。
【００９０】
次に、図１３−４を参照して、第４の選択方法に係る代表コンテンツ画像選択処理について説明する。ここで、図１３−４は、第４の選択方法に係る代表コンテンツ画像選択処理の手順を示したフローチャートである。
【００９１】
まず、処理エンジン１０２は、重畳コンテンツ画像群の一つを処理の対象に設定する（ステップＳ４０１）。次いで、処理エンジン１０２は、処理対象の重畳コンテンツ画像群に含まれる各コンテンツ画像のファイル名に基づき、各コンテンツ画像をアルファベット順や五十音順等でソートする（ステップＳ４０２）。
【００９２】
続いて、処理エンジン１０２は、ステップＳ４０２のソート結果に基づいて、最初／最後に出現するコンテンツ画像を代表コンテンツ画像として選択する（ステップＳ４０３）。そして、処理エンジン１０２は、処理対象の重畳コンテンツ画像群に含まれた代表コンテンツ画像以外のサブコンテンツ画像を地図情報上から除去する（ステップＳ４０４）。
【００９３】
続くステップＳ４０５〜Ｓ４０７の処理は、上述したステップＳ１０４〜Ｓ１０６と同様であるため、説明を省略する。第４の代表選択方法を用いた場合、重畳コンテンツ画像群の中から一の代表コンテンツ画像をそのファイル名に基づいて選択するため、後述する関連画像表示処理において、ファイル名の順に関連画像を表示することができるため、ユーザの利便性を向上させることができる。
【００９４】
次に、図１３−５を参照して、第５の選択方法に係る代表コンテンツ画像選択処理について説明する。ここで、図１３−５は、第５の選択方法に係る代表コンテンツ画像選択処理の手順を示したフローチャートである。なお、本処理の前提として、コンテンツ画像に関する人気度や注目度に関する関連情報が、各コンテンツ画像と関連付けてコンテンツ画像提供サーバ５のコンテンツ画像ＤＢに登録されているものとする。また、上述したステップＳ１５において、各コンテンツ画像について配置位置と関連情報とが、コンテンツ画像提供サーバ５から提供されるものとする。
【００９５】
まず、処理エンジン１０２は、重畳コンテンツ画像群の一つを処理の対象に設定する（ステップＳ５０１）。次いで、処理エンジン１０２は、ステップＳ１５で取得した関連情報に含まれる各コンテンツ画像に関する人気度の順で、処理対象の重畳コンテンツ画像群に含まれる各コンテンツ画像をソートする（ステップＳ５０２）。
【００９６】
続いて、処理エンジン１０２は、ステップＳ５０２のソート結果に基づいて、最初／最後に出現するコンテンツ画像を選択し、このコンテンツ画像を代表コンテンツ画像とする（ステップＳ５０３）。そして、処理エンジン１０２は、処理対象の重畳コンテンツ画像群に含まれた代表コンテンツ画像以外の他のコンテンツ画像を地図情報上から除去する（ステップＳ５０４）。
【００９７】
続くステップＳ５０５〜Ｓ５０７の処理は、上述したステップＳ１０４〜Ｓ１０６と同様であるため、説明を省略する。第５の代表選択方法を用いた場合、重畳コンテンツ画像群の中から一の代表コンテンツ画像を人気度に基づいて選択するため、人気度の高い事象を表すコンテンツ画像を代表コンテンツ画像とすることができ、ユーザの利便性を向上させることができる。また、後述する関連画像表示処理において、人気度の順に関連画像を表示することができるため、ユーザの利便性を向上させることができる。
【００９８】
図１２に戻り、処理エンジン１０２は、ＨＴＭＬエンジン１０１との協働により、図７や図８に示したように、地図画像及び当該地図情報上に配置したコンテンツ画像（代表コンテンツ画像及び重畳枚数画像を含む）を表示部１９に表示し（ステップＳ２０）、本処理を終了する。
【００９９】
次に、図１４を参照して、重畳コンテンツ画像群を表示する際の処理について説明する。ここで、図１４は重畳コンテンツ画像群表示処理の手順を示したフローチャートである。
【０１００】
まず、処理エンジン１０２は、表示部１９に表示された何れかの代表コンテンツ画像に対し、重畳コンテンツ画像群の表示を指示する所定の操作が行われたことを、入力部１７を介して受け付けると（ステップＳ３１）、この代表コンテンツ画像に係る重畳コンテンツ画像群に含まれた各コンテンツ画像をＲＡＭ１１２等に保持したキャッシュから読み出す（ステップＳ３２）。
【０１０１】
次いで、処理エンジン１０２は、ＨＴＭＬエンジン１０１との協働により、ステップＳ３２で読み出したコンテンツ画像を、図９に示したような所定の表示形態で表示部に一覧又は個別的に表示し（ステップＳ３３）、本処理を終了する。
【０１０２】
以上のように、本実施形態によれば、複数のコンテンツ画像が重畳関係にある場合、この重畳コンテンツ画像群から選択した一のコンテンツ画像を代表コンテンツ画像として表示し、また、重畳コンテンツ画像群の表示が指示された場合には、重畳コンテンツ画像群に含まれる各コンテンツ画像を一覧又は個別的に表示するため、コンテンツ画像と地域との関連性を維持しつつ、地図情報上に表示されたコンテンツ画像の視認性を向上させることができる。
【０１０３】
以上、本発明の実施の形態について説明したが、本発明はこれに限定されるものではなく、本発明の主旨を逸脱しない範囲での種々の変更、置換、追加等が可能である。
【０１０４】
例えば、上記実施形態では、サブコンテンツ画像の存在を示すフラグ情報として、重畳枚数画像を表示する形態としたが、フラグ情報の形態はこれに限らず、他の形態を用いてサブコンテンツ画像の存在を示すこととしてもよい。例えば、代表コンテンツ画像に対して矢印等を表示させたり、代表コンテンツ画像を点滅表示させたりする等の強調表示を行うことで、重畳関係にあるコンテンツ画像の存在を通知する形態としてもよい。
【０１０５】
また、上記実施形態では、コンテンツ画像提供サーバ５がコンテンツ画像ＤＢ５３１を管理する形態としたが、これに限らず、端末装置１がコンテンツ画像ＤＢ５３１を保持する形態としてもよい。
【０１０６】
また、上記実施形態では、地図情報とコンテンツ画像とのマッシュアップについて説明したが、これに限らず、例えば個人宅や病院内等、特定の施設の構内図とコンテンツ画像とをマッシュアップする際にも用いることができる。また、地図情報提供サーバ３から地図情報とともにコンテンツ画像が提供されるような場合には、このコンテンツ画像に対して上記の処理を施すこととしてもよい。
【０１０７】
なお、上記実施形態の端末装置１で実行されるプログラムは、端末装置１が備える記録媒体（ハードディスク１３）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記録媒体は、コンピュータ或いは組み込みシステムと独立した媒体に限らず、ＬＡＮやインターネット等により伝達されたプログラムをダウンロードして記憶又は一時記憶した記録媒体も含まれる。
【０１０８】
また、上記実施形態の端末装置１で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【図面の簡単な説明】
【０１０９】
【図１】地図情報提供システムの全体構成を概略的に示したシステム構成図である。
【図２】図１に示した端末装置１の構成の一例を示したブロック図である。
【図３】図２に示した制御部１１が実現する各機能部と、地図情報提供サーバ３及びコンテンツ画像提供サーバ５との関係を模式的に示した図である。
【図４−１】第１の重畳判定方法を説明するための図である。
【図４−２】第１の重畳判定方法を説明するための図である。
【図５】第２の重畳判定方法を説明するための図である。
【図６】第３の重畳判定方法を説明するための図である。
【図７】端末装置１の表示部１９に表示された地図情報及びコンテンツ画像の一例を示した図である。
【図８】端末装置１の表示部１９に表示された地図情報及びコンテンツ画像の一例を示した図である。
【図９】端末装置１の表示部１９に表示された地図情報及びコンテンツ画像の一例を示した図である。
【図１０】図１に示した地図情報提供サーバ３の構成の一例を示したブロック図である。
【図１１】図１に示したコンテンツ画像提供サーバ５の構成の一例を示したブロック図である。
【図１２】端末装置１で実行される地図情報表示処理の手順を示したフローチャートである。
【図１３−１】第１の代表選択方法に係る代表コンテンツ画像選択処理の手順を示したフローチャートである。
【図１３−２】第２の代表選択方法に係る代表コンテンツ画像選択処理の手順を示したフローチャートである。
【図１３−３】第３の代表選択方法に係る代表コンテンツ画像選択処理の手順を示したフローチャートである。
【図１３−４】第４の代表選択方法に係る代表コンテンツ画像選択処理の手順を示したフローチャートである。
【図１３−５】第５の代表選択方法に係る代表コンテンツ画像選択処理の手順を示したフローチャートである。
【図１４】重畳コンテンツ画像群表示処理の手順を示したフローチャートである。
【符号の説明】
【０１１０】
１  端末装置
１０１  ＨＴＭＬエンジン
１０２  処理エンジン
１１  制御部
１１１  ＣＰＵ
１１２  ＲＡＭ
１１３  ＲＯＭ
１２  ハードディスク制御部
１３  ハードディスク
１４  光学ドライブ制御部
１５  光学ドライブ
１６  入力制御部
１７  入力部
１８  表示制御部
１９  表示部
２０  通信制御部
２１  通信部
３  地図情報提供サーバ
３１  制御部
３１１  ＣＰＵ
３１２  ＲＡＭ
３１３  ＲＯＭ
３２  ハードディスク制御部
３３  ハードディスク
３３１  地図情報ＤＢ
３４  光学ドライブ制御部
３５  光学ドライブ
３６  入力制御部
３７  入力部
３８  表示制御部
３９  表示部
４０  通信制御部
４１  通信部
５  コンテンツ画像提供サーバ
５１  制御部
５１１  ＣＰＵ
５１２  ＲＡＭ
５１３  ＲＯＭ
５２  ハードディスク制御部
５３  ハードディスク
５３１  コンテンツ画像ＤＢ
５４  光学ドライブ制御部
５５  光学ドライブ
５６  入力制御部
５７  入力部
５８  表示制御部
５９  表示部
６０  通信制御部
６１  通信部
【図１】
2010156800.tif 000003
【図２】
2010156800.tif 000004
【図３】
2010156800.tif 000005
【図４−１】
2010156800.tif 000006
【図４−２】
2010156800.tif 000007
【図５】
2010156800.tif 000008
【図６】
2010156800.tif 000009
【図７】
2010156800.tif 000010
【図８】
2010156800.tif 000011
【図９】
2010156800.tif 000012
【図１０】
2010156800.tif 000013
【図１１】
2010156800.tif 000014
【図１２】
2010156800.tif 000015
【図１３−１】
2010156800.tif 000016
【図１３−２】
2010156800.tif 000017
【図１３−３】
2010156800.tif 000018
【図１３−４】
2010156800.tif 000019
【図１３−５】
2010156800.tif 000020
【図１４】
2010156800.tif 000021